(57)【要約】【課題】スルー画出力が可能な一眼レフカメラであっても、フレーミングを決定する際にイメージャにダメージを与えることのないデジタルカメラ及びデジタル一眼レフカメラを提供することである。【解決手段】撮影レンズを有する交換レンズ８０を介して入射する被写体光量は、絞り駆動回路８４及び絞りモータ８５を介して、絞り機構１０２によって調節される。また、交換レンズ８０から、開放絞り値を含むレンズデータが、演算部８１を介して演算部５０に取得される。そして、スルー画モードが設定された際に、演算部５０により、取得されたレンズデータに基づいて絞り機構１０２の初期値が設定される。また、演算部５０によって、上記スルー画の表示の実行中に、測光センサ５６で検出された被写体輝度データに基づいて絞り機構１０２の絞り値の設定が変更される。【選択図】図４
2007006358.tif 000002
【特許請求の範囲】
【請求項１】
被写体像を連続的に撮像して表示するスルー画モードを有するデジタル一眼レフカメラに於いて、
交換可能な撮影レンズと、
上記撮影レンズを介して入射する被写体光量を調節するための絞り機構と、
上記撮影レンズから、開放絞り値を含むレンズデータを取得するデータ取得手段と、
上記スルー画モードが設定された際に、上記データ取得手段で取得された上記レンズデータに基づいて上記絞り機構の初期値を設定する設定手段と、
被写体輝度を検出する測光手段と、
上記スルー画表示の実行中に、上記測光手段で検出された被写体輝度データに基づいて上記絞り機構の絞り値の設定を変更する変更手段と、
を具備することを特徴とするデジタルカメラ。
【請求項２】
上記変更手段は、上記被写体輝度の変化に応じて上記絞り値を所定段数ずつ変更することを特徴とする請求項１に記載のデジタルカメラ。
【請求項３】
上記変更手段は、上記絞り機構の絞りが開放で、上記被写体輝度が所定値よりも高輝度で、且つ、上記撮影レンズが大口径レンズの場合、上記絞り機構を所定値まで絞り込むことを特徴とする請求項１に記載のデジタルカメラ。
【請求項４】
上記測光手段は、上記スルー画像の輝度分布に基づいて上記被写体輝度を検出することを特徴とする請求項１に記載のデジタルカメラ。
【請求項５】
レンズ交換可能なデジタル一眼レフカメラに於いて、
一駒毎の撮像と、一定間隔で連続した撮像が可能な撮像素子と、
連続した撮像モードを選択可能とする選択手段と、
レンズに固有の情報を記憶した記憶手段と、
上記交換レンズに内蔵された光量制御手段と、
被写体の輝度状態を測定する測定手段と、
を具備し、
上記光量制御手段は、連続した撮像モードが選択された際に、被写体輝度が所定値を超えた場合に光量を削減することを特徴とするデジタル一眼レフカメラ。
【請求項６】
上記光量制御手段は、上記レンズ内の絞り部材で構成されることを特徴とする請求項５に記載のデジタル一眼レフカメラ。
【請求項７】
レンズ交換可能なデジタル一眼レフカメラに於いて、
一駒毎の撮像と、一定間隔で連続した撮像が可能な撮像素子と、
連続した撮像モードを選択可能とする選択手段と、
レンズに固有の情報を記憶した記憶手段と、
上記交換レンズに内蔵された光量制御手段と、
被写体の輝度状態を測定する測定手段と、
連続した撮像モードが選択された際には、上記情報伝達手段で取得された上記装着されたレンズの固有の情報を基に、上記光量制御手段にて光量を所定の状態に設定する制御手段と、
を具備し、
上記光量制御手段は、上記所定の状態にて連続した撮像モードが継続中に、被写体の輝度状態が所定値を超えた場合には光量を制御することを特徴とするデジタル一眼レフカメラ。
【請求項８】
上記測定手段は、撮像画像の輝度分布状態の検出であることを特徴とする請求項７に記載のデジタル一眼レフカメラ。
【請求項９】
被写体像を連続的に撮像して表示するスルー画モードを有するデジタル一眼レフカメラに於いて、
交換可能な撮影レンズと、
一駒毎の撮像と、一定間隔で連続した撮像が可能な撮像素子と、
連続した撮像モードを選択可能とする選択手段と、
上記交換レンズに内蔵された被写体光量を調節する光量調節手段と、
被写体の輝度状態を検出する測光手段と、
上記選択手段で連続した撮像モードが選択された場合に、上記測光手段で検出された被写体輝度が所定値を超えた場合には上記光量調節手段による光量を削減するように制御する制御手段と、
を具備することを特徴とするデジタル一眼レフカメラ。
【請求項１０】
上記光量調節手段は、上記撮影レンズ内の絞り部材で構成されることを特徴とする請求項９に記載のデジタル一眼レフカメラ。
【発明の詳細な説明】
【技術分野】
【０００１】
本発明はデジタルカメラに関し、より詳細には観察中の画像と撮影中の画像とを表示画面に表示可能なデジタル一眼レフカメラの改良に関するものである。
【背景技術】
【０００２】
従来より、撮影レンズ等の撮影光学系により結像される被写体像を、撮像素子によって光電変換し、これにより得られた画像信号に基づいて液晶モニタ等の画像表示装置に表示するカメラが一般的に知られている。
【０００３】
こうした被写体像を表示するカメラとしては、本露出用の露出手段とは別に、被写界のモニタ用に別の撮像手段を設けてファインダ光学系内にハーフミラーを配置し、スルー画（ほぼリアルタイムの動画像）表示用の撮像素子に被写体光束を導くカメラが知られている。この場合、スルー画表示モードでは、撮像素子によって繰り返し撮像を行い、表示装置に表示するものである（例えば、特許文献１参照）。
【特許文献１】特開２０００−１６５７３０号公報
【発明の開示】
【発明が解決しようとする課題】
【０００４】
一方で、レンズ交換式のデジタル一眼レフレックス（以下、単に一眼レフと記す）カメラに於いては、Ｆナンバ（ＦＮｏ．）の明るいレンズや望遠レンズが装着された状態で、太陽を画面内にフレーミングした際、イメージャにダメージを与える危険性があった。特に、スルー画出力が可能な一眼レフカメラに於いては、フレーミングを決定する際にもイメージャは露光され続けるため、ダメージを与えるリスクの高いものとなっていた。
【０００５】
したがって、本発明は上記実情に鑑みてなされたものであり、スルー画出力が可能な一眼レフカメラであっても、フレーミングを決定する際にイメージャにダメージを与えることのないデジタルカメラ及びデジタル一眼レフカメラを提供することを目的とする。
【課題を解決するための手段】
【０００６】
すなわち請求項１に記載の発明は、被写体像を連続的に撮像して表示するスルー画モードを有するデジタル一眼レフカメラに於いて、交換可能な撮影レンズと、上記撮影レンズを介して入射する被写体光量を調節するための絞り機構と、上記撮影レンズから、開放絞り値を含むレンズデータを取得するデータ取得手段と、上記スルー画モードが設定された際に、上記データ取得手段で取得された上記レンズデータに基づいて上記絞り機構の初期値を設定する設定手段と、被写体輝度を検出する測光手段と、上記スルー画表示の実行中に、上記測光手段で検出された被写体輝度データに基づいて上記絞り機構の絞り値の設定を変更する変更手段と、を具備することを特徴とする。
【０００７】
請求項２に記載の発明は、請求項１に記載の発明に於いて、上記変更手段は、上記被写体輝度の変化に応じて上記絞り値を所定段数ずつ変更することを特徴とする。
【０００８】
請求項３に記載の発明は、請求項１に記載の発明に於いて、上記変更手段は、上記絞り機構の絞りが開放で、上記被写体輝度が所定値よりも高輝度で、且つ、上記撮影レンズが大口径レンズの場合、上記絞り機構を所定値まで絞り込むことを特徴とする。
【０００９】
請求項４に記載の発明は、請求項１に記載の発明に於いて、上記測光手段は、上記スルー画像の輝度分布に基づいて上記被写体輝度を検出することを特徴とする。
【００１０】
請求項５に記載の発明は、レンズ交換可能なデジタル一眼レフカメラに於いて、一駒毎の撮像と、一定間隔で連続した撮像が可能な撮像素子と、連続した撮像モードを選択可能とする選択手段と、レンズに固有の情報を記憶した記憶手段と、上記交換レンズに内蔵された光量制御手段と、被写体の輝度状態を測定する測定手段と、を具備し、上記光量制御手段は、連続した撮像モードが選択された際に、被写体輝度が所定値を超えた場合に光量を削減することを特徴とする。
【００１１】
請求項６に記載の発明は、請求項５に記載の発明に於いて、上記光量制御手段は、上記レンズ内の絞り部材で構成されることを特徴とする。
【００１２】
請求項７に記載の発明は、レンズ交換可能なデジタル一眼レフカメラに於いて、一駒毎の撮像と、一定間隔で連続した撮像が可能な撮像素子と、連続した撮像モードを選択可能とする選択手段と、レンズに固有の情報を記憶した記憶手段と、上記交換レンズに内蔵された光量制御手段と、被写体の輝度状態を測定する測定手段と、連続した撮像モードが選択された際には、上記情報伝達手段で取得された上記装着されたレンズの固有の情報を基に、上記光量制御手段にて光量を所定の状態に設定する制御手段と、を具備し、上記光量制御手段は、上記所定の状態にて連続した撮像モードが継続中に、被写体の輝度状態が所定値を超えた場合には光量を制御することを特徴とする。
【００１３】
請求項８に記載の発明は、請求項７に記載の発明に於いて、上記測定手段は、撮像画像の輝度分布状態の検出であることを特徴とする。
【００１４】
請求項９に記載の発明は、被写体像を連続的に撮像して表示するスルー画モードを有するデジタル一眼レフカメラに於いて、交換可能な撮影レンズと、一駒毎の撮像と、一定間隔で連続した撮像が可能な撮像素子と、連続した撮像モードを選択可能とする選択手段と、上記交換レンズに内蔵された被写体光量を調節する光量調節手段と、被写体の輝度状態を検出する測光手段と、上記選択手段で連続した撮像モードが選択された場合に、上記測光手段で検出された被写体輝度が所定値を超えた場合には上記光量調節手段による光量を削減するように制御する制御手段と、を具備することを特徴とする。
【００１５】
請求項１０に記載の発明は、請求項９に記載の発明に於いて、上記光量調節手段は、上記撮影レンズ内の絞り部材で構成されることを特徴とする。
【発明の効果】
【００１６】
本発明によれば、スルー画出力が可能な一眼レフカメラであっても、フレーミングを決定する際にイメージャにダメージを与えることのないデジタルカメラ及びデジタル一眼レフカメラを提供することができる。
【発明を実施するための最良の形態】
【００１７】
以下、図面を参照して、本発明の実施形態を説明する。
【００１８】
図１及び図２は、本発明の一実施形態を示すもので、本発明に係るデジタル一眼レフカメラの本体部の構成を示す断面図であり、図１は被写体観察時の状態を示した図、図２は撮影時の状態を示した図である。また、図３は、本実施形態に於けるデジタル一眼レフカメラの交換レンズの構成を示す断面図である。
【００１９】
図１及び図２に於いて、このデジタル一眼レフカメラ（以下、カメラと略記する）は、カメラ本体部としてのカメラボディ１０と、図３に示される交換レンズ８０とから主に構成されており、該カメラボディ１０の前面部に設けられたボディマウント４２に、所望の交換レンズ８０が着脱自在に装着される。
【００２０】
図１に於いて、図示されない交換レンズより入射された被写体光束は、その一部がハーフミラーで構成されたメインミラー１１の表面で反射され、更にスクリーン１２を介してプリズム１３に入射する。プリズム１３に入射された被写体光束は、プリズム１３内の反射面とミラーＡ（以下、ミラー（Ａ）と記す）１５で反射され、複数のレンズで構成されるリレー系レンズ１６を介して、更にミラーＢ（以下、ミラー（Ｂ）と記す）１７及びミラーＣ（以下、ミラー（Ｃ）と記す）１８で反射され、複数のレンズで構成された接眼系レンズ２０を通って、図示されない撮影者の眼により観察される。尚、上記プリズム１３、ミラー（Ａ）１５、リレー系レンズ１６、ミラー（Ｂ）１７及びミラー（Ｃ）１８は、リレー光学系を構成している。これらリレー光学系は、スクリーン１２上に結像された被写体像を、コントローラ（Ｃ）１８と接眼系レンズ２０の間に再度結像させるためのものである。
【００２１】
上記ミラー（Ｂ）１７はハーフミラーで構成されているもので、その入射光の一部はミラー（Ｂ）１７を透過し、該ミラー（Ｂ）１７の後方に配置された再結像系レンズ２２を介してサブイメージャ２３に導かれる。このサブイメージャ２３は、後述する第１の撮像素子であるイメージャ３５に対して第２の撮像素子を構成している。また、ミラー（Ｃ）１８の近傍には、ファインダ内に撮影情報等を表示するためのファインダ内表示用ＬＣＤ２６と、このファインダ内表示用ＬＣＤ２６で表示された撮影情報等を、接眼系レンズ２０を介して撮影者の眼に導くための表示プリズム２５が配置されている。
【００２２】
上記メインミラー１１を透過した被写体光束は、メインミラー１１の裏面側に取り付けられたサブミラー３０によって反射されて自動測距及び測光を行うための測定手段であるＡＦＡＥユニット３１に導かれる。
【００２３】
尚、上記メインミラー１１は、軸１１ａを中心に回動可能に設けられている光路変更手段である。被写体観察時は図１に示される位置に配置されており、撮影時は軸１１ａを中心に上方に移動して、図２に示されるように、撮影光路より退避された位置（退避位置）となる。このとき、サブミラー３０は、メインミラー１１が退避位置に移動される際に折りたたまれて、メインミラー１１と共に退避位置に移動される。
【００２４】
撮影光軸上でメインミラー１１の後方には、フォーカルプレーンシャッタ３３、ローパスフィルタ３４及びイメージャプレート３６に装着された第１の撮像素子であるイメージャ３５が、配設されている。また、イメージャプレートの後方には、種々の電気部品が装填された基板３８が配置されている。更に、この基板３８の後方には、液晶ディスプレイ等で構成されたモニタ４０が配置されている。撮影者は、カメラボディ１０の背面側に設けられたモニタ窓４１を通して、モニタ４０の画面に表示された画像を視認することができる。
【００２５】
一方、交換レンズ８０は、図３に示されるように構成されている。
【００２６】
この交換レンズ８０は、内部にフォーカスレンズ１０１ａとズームレンズ１０１ｂから構成される撮影レンズ１０１を有している。そして、上記フォーカスレンズ１０１ａとズームレンズ１０１ｂの間に、光量調節手段または光量制御手段としての絞り１０２が配置されている。更に、この交換レンズ８０の外部で、且つ図示されないカメラボディ１０側には、該交換レンズ８０をカメラボディ１０に装着するための、ボディマウント４２と係合するレンズ側のレンズマウント１０５が設けられている。これらボディマウント４２とレンズマウント１０５との係合により、交換レンズ８０はカメラボディ１０に着脱自在となっている。
【００２７】
図４は、本実施形態に於けるデジタル一眼レフカメラの電気系の構成を示すブロック図である。尚、このカメラのブロック図は、交換レンズが装着された状態を示している。
【００２８】
図４に於いて、演算部５０は、このカメラ全体の制御を司ると共に演算を行うためのもので、データ取得手段、設定手段、選択手段、変更手段及び制御手段の機能を有する、例えばＣＰＵ等により構成される。この演算部５０には、モータ駆動回路５１を介してシャッタミラー駆動モータ５２が接続されると共に、シャッタ制御回路５３を介してフォーカルプレーンシャッタ３３が接続されている。
【００２９】
また、上記演算部５０には、ＡＦＡＥユニット３１内に設けられた測距センサ５５及び被写体の明るさを測定する測光センサ（測光手段）５６と、シャッタチャージが行われたときに切り替わるチャージカムスイッチ（ＳＷ）５７と、フォーカルプレーンシャッタ３３の先幕（図示せず）に取り付けられるもので、シャッタの開口部の全開状態を検出するための先幕スイッチ（ＳＷ）５８と、イメージャ３５を駆動するためのイメージャ駆動回路６０と、サブイメージャ２３を駆動するためのサブイメージャ駆動回路６１と、モニタ４０を駆動するためのモニタ駆動回路６２と、ファインダ内表示用ＬＣＤ２６を駆動するためのＬＣＤ駆動回路６３とが接続されている。
【００３０】
更に、演算部５０には、操作釦６５と、操作ダイヤル６６と、レリーズスイッチ（ＳＷ）６７と、記録メディア６９と、メモリ７０と、画像データメモリ７１とが接続されている。操作釦６５は、図示されないがメニュー釦、十字キー、ＯＫ釦等から成るもので、このカメラに種々の操作を行わせるためのものである。操作ダイヤル６６は、撮影時の撮影モードやスルー画モード等の選択を行うための選択手段としての操作部材である。
【００３１】
レリーズスイッチ６７は、撮影準備動作及び露光動作を実行させるための釦である。このレリーズスイッチ６７は、第１レリーズスイッチと第２レリーズスイッチの２段式のスイッチで構成されており、図示されないレリーズ釦が半押し操作されることによって、第１レリーズスイッチがオンされて測光処理や測距処理などの撮影準備動作が実行される。また、上記レリーズ釦が全押し操作されることによって、第２レリーズスイッチがオンされて露光動作が実行される。
【００３２】
上記記録メディア６９は、図示されないカメラのインターフェイスを介してカメラボディ１０に対し脱着可能な各種のメモリカードや外付けのハードディスクドライブ（ＨＤＤ）等の記録媒体である。メモリ７０は、デジタルカメラ全体の制御を行うための制御プログラムが予め記憶されているものである。また、画像データメモリ７１は、画像データを一時的に保管するためのメモリである。
【００３３】
一方、交換レンズ８０には、該交換レンズ８０内の各部を駆動制御するもので、ＣＰＵ等で構成され、データ取得手段である演算部８１を有している。この演算部８１には、モータ駆動回路８２を介してフォーカスモータ８３と、絞り駆動回路８４を介して絞りモータ８５と、フォーカスパルスカウンタ８７と、ズームエンコーダ８８と、メモリ９０とが接続されている。
【００３４】
上記フォーカスモータ８３は、上記カメラボディ１０内の測距センサ５５の測距結果に基づいてフォーカスレンズ１０１ａを駆動するためのモータである。同様に、絞りモータ８５は、上記カメラボディ１０内の測光センサ５６の測光結果に基づいて、光量調節手段または光量制御手段である絞り機構（絞り）１０２を駆動するためのモータである。フォーカスパルスカウンタ８７は、上記フォーカスレンズを駆動させるにあたり、該フォーカスレンズの移動を検出して位置制御を行うためのものである。また、ズームエンコーダ８８は、図示されない撮影レンズの焦点距離に応じた移動信号を検出して演算部８１に出力する。更に、メモリ９０は、この交換レンズ８０内のレンズ情報が記憶されている記憶手段である。
【００３５】
尚、演算部８１は、図示されない通信コネクタ等を介して、カメラボディ１０内の演算部５０と電気的に接続がなされる。そして、演算部８１は、カメラボディ１０の演算部５０の指令に従って制御される。
【００３６】
次に、本発明の一実施形態に係るカメラの動作について説明する。
【００３７】
このカメラは、操作ダイヤル６６が操作されてスルー画モードが選択されることにより、スルー画モードに入る。これにより、図示されないメインルーチンから図５に示されるスルー画モードのサブルーチンが動作される。
【００３８】
図５は、本発明の一実施形態に於いてスルー画モードでのカメラの動作を説明するフローチャートである。尚、このカメラの動作は、主にカメラボディ１０内の演算部５０の制御によって行われる。
【００３９】
スルー画モードのルーチンに入ると、先ず、ステップＳ１に於いて、交換レンズ８０側と通信が行われて、演算部８１より当該交換レンズ８０のレンズ情報が読み込まれる。このレンズ情報は、例えば、最小絞り、開放絞り、焦点距離等の情報である。次いで、ステップＳ２にて、絞りの初期設定が行われる。ここでは、開放以外の絞りが設定される。また、２回目以降の場合は、後述するステップＳ６のサブルーチン「絞り変更」で変更された絞り値に応じて設定される。
【００４０】
そして、ステップＳ３にて、サブイメージャ駆動回路６１を介してサブイメージャ２３がオンされると、続くステップＳ４にてサブイメージャ２３により得られた被写体像が読み出される。更に、ステップＳ５にて、上記ステップＳ４で読み出された被写体像が、モニタ４０に表示される。このようにして、サブイメージャ２３によるスルー画表示が行われる。次に、ステップＳ６にて、サブルーチン「絞り変更」が実行される。
【００４１】
ここで、図６のフローチャートを参照して、図５のフローチャートのステップＳ６に於けるサブルーチン「絞り変更」の詳細な動作について説明する。
【００４２】
本サブルーチンに入ると、先ず、ステップＳ２１にて、測光センサ５６により輝度分布測定が行われる。次いで、ステップＳ２２に於いて、現在の絞りが開放であるか否かが判定される。ここで、絞りが開放であればステップＳ２３に移行し、そうでなければステップＳ２６に移行する。
【００４３】
ステップＳ２３では、被写体が高輝度であるか否かが判定される。ここでは、例えば、輝度分布の飽和領域が５０％以上であるか否かが判定される。その結果、高輝度であればステップＳ２４へ移行して、カメラボディ１０に装着されている交換レンズ８０が大口径レンズであるか否か、例えばこの場合ＦＮｏ．が２．０より明るいか否かが判定される。装着されている交換レンズ８０が大口径レンズである場合は、ステップＳ２５に移行して、絞り１０２が最小絞りまで絞り込まれる。その後、本ルーチンを抜けて図５のフローチャートのステップＳ７へ移行する。尚、上記ステップＳ２５では、最小絞りまで絞るとしているが、イメージャ３５に影響を与えない程度の絞り値であれば、例えばＦＮｏ．８．０程度であってもよい。
【００４４】
一方、上記ステップＳ２６に於いては、低輝度限界であるか否かが判定される。ここで、低輝度限界であると判定された場合は、ステップＳ２７に移行して、絞り１０２が１段分開かれる。その後、本ルーチンを抜けて図５のフローチャートのステップＳ７へ移行する。
【００４５】
そして、上記ステップＳ２６にて低輝度限界でない場合、ステップＳ２３で高輝度でない場合、更にステップＳ２４で大口径レンズでない場合は、何れもステップＳ２８に移行して、絞り１０２が最小絞りであるか否かが判定される。その結果、最小絞りである場合は本ルーチンを抜け、そうでない場合はステップＳ２９へ移行する。ステップＳ２９では、被写体が高輝度であるか否かが判定される。ここで、高輝度である場合は、ステップＳ３０に移行して絞り１０２が１段分絞り込まれた後、本ルーチンを抜けて図５のフローチャートのステップＳ７へ移行する。また、上記ステップＳ２９にて被写体が高輝度でない場合は、ステップＳ３０をスキップして本ルーチンを抜ける。
【００４６】
尚、上記ステップＳ２７及びＳ３０では絞り１０２が１段分動かされるが、１段に限られるものではなく、複数段であってもよい。
【００４７】
このようにしてステップＳ６で「絞り変更」の処理が実行された後は、ステップＳ７に於いて、上述した２段式のレリーズスイッチ６７の半押し状態である第１（１ｓｔ）レリーズスイッチの状態が判定される。ここで、第１レリーズスイッチがオンされなければ、ステップＳ８に移行して、レンズ交換が行われたか、或いは焦点距離が変更されたか否かが判定される。ここで、何れかの操作が行われた場合は上記ステップＳ１に移行して上述した処理動作が繰り返され、そうでない場合は後述するステップＳ１８に移行する。
【００４８】
一方、上記ステップＳ７で第１レリーズスイッチがオンされたならば、ステップＳ９に移行して、ＡＦの状態が判定される。その結果、まだＡＦが完了していない場合は、ステップＳ１０に移行してＡＦ、ＡＥが実行される。その後、上記ステップＳ３に移行して上述した処理動作が繰り返される。上記ステップＳ９にてＡＦが完了したならば、ステップＳ１１に移行して、上述した第２レリーズスイッチの状態が判定される。ここで、第２レリーズスイッチがオンされていない場合は、上記ステップＳ３に移行して上述した処理動作が繰り返される。
【００４９】
上記ステップＳ１１にて第２レリーズスイッチがオンされたならば、ステップＳ１２に移行してモニタ４０が消灯される。続いて、ステップＳ１３にてサブイメージャ２３の駆動が停止される。更に、ステップＳ１４にて、シャッタミラー駆動モータ５２によりメインミラー１１がアップされる。すなわち、図１に示されるような撮影光路内から、図２に示されるような退避位置まで移動される。次いで、ステップＳ１５にてイメージャ３５による露光、すなわち撮像が行われる。そして、ステップＳ１６では、この撮像によって取り込まれた被写体像が読み出される。
【００５０】
その後、ステップＳ１７にて、シャッタミラー駆動モータ５２によるメインミラー１１のダウン（図２に示される退避位置から図１に示される撮影光路内への復帰）が行われる。そして、ステップＳ１８に於いて、モード変更が行われたか否かが判定される。ここで、変更されずにスルー画モードのままであれば、上記ステップＳ３に移行して上述した処理動作が繰り返される。また、モードが変更された場合は、本ルーチンを抜けて図示されないメインルーチンに復帰する。
【００５１】
このように、本実施形態によれば、スルー画モード時の設定絞り値を制御するので、フレーミングを決定する際に極めて高輝度の被写体が画面内にフレーミングされることがあっても、イメージャにダメージを与えることがなくなる。
【００５２】
以上、本発明の実施形態について説明したが、本発明は上述した実施形態以外にも、本発明の要旨を逸脱しない範囲で種々の変形実施が可能である。
【図面の簡単な説明】
【００５３】
【図１】本発明の一実施形態を示すもので、本発明に係るデジタル一眼レフカメラの本体部の構成を示す断面図であり、被写体観察時の状態を示した図である。
【図２】本発明の一実施形態を示すもので、本発明に係るデジタル一眼レフカメラの本体部の構成を示す断面図であり、撮影時の状態を示した図である。
【図３】本発明の一実施形態に於けるデジタル一眼レフカメラの交換レンズの構成を示す断面図である。
【図４】本発明の一実施形態に係るデジタル一眼レフカメラの電気系の構成を示すブロック図である。
【図５】本発明の一実施形態に於いてスルー画モードでのカメラの動作を説明するフローチャートである。
【図６】図５のフローチャートのステップＳ６に於けるサブルーチン「絞り変更」の詳細な動作について説明するフローチャートである。
【符号の説明】
【００５４】
１０…カメラボディ、１１…メインミラー、１２…スクリーン、１３…プリズム、１５…ミラーＡ（ミラー（Ａ））、１６…リレー系レンズ、１７…ミラーＢ（ミラー（Ｂ））、１８…ミラーＣ（ミラー（Ｃ））、２０…接眼系レンズ、２２…再結像系レンズ、２３…サブイメージャ、２５…表示プリズム、２６…ファインダ内表示用ＬＣＤ、３０…サブミラー、３１…ＡＦＡＥユニット、３３…フォーカルプレーンシャッタ、３４…ローパスフィルタ、３５…イメージャ、３６…イメージャプレート、３８…基板、４０…モニタ、４１…モニタ窓、４２…ボディマウント、５１…モータ駆動回路、５２…シャッタミラー駆動モータ、５３…シャッタ制御回路、５５…測距センサ、５６…測光センサ、５７…チャージカムスイッチ（ＳＷ）、５８…先幕スイッチ（ＳＷ）、６０…イメージャ駆動回路、６１…サブイメージャ駆動回路、６２…モニタ駆動回路、６３…ＬＣＤ駆動回路、６５…操作釦、６６…操作ダイヤル、６７…レリーズスイッチ（ＳＷ）、６９…記録メディア、７０…メモリ、７１…画像データメモリ、８０…交換レンズ、８１…演算部、８２…モータ駆動回路、８３…フォーカスモータ、８４…絞り駆動回路、８５…絞りモータ、８７…フォーカスパルスカウンタ、８８…ズームエンコーダ、９０…メモリ、１０１…撮影レンズ、１０１ａ…フォーカスレンズ、１０１ｂ…ズームレンズ、１０２…絞り機構（絞り）、１０５…レンズマウント。
【図１】
2007006358.tif 000003
【図２】
2007006358.tif 000004
【図３】
2007006358.tif 000005
【図４】
2007006358.tif 000006
【図５】
2007006358.tif 000007
【図６】
2007006358.tif 000008